【手続補正書】
【提出日】平成28年4月27日(2016.4.27)
【手続補正１】
【補正対象書類名】特許請求の範囲
【補正対象項目名】全文
【補正方法】変更
【補正の内容】
【特許請求の範囲】
【請求項１】
アクセスポイント、ＡＰ、のロケーションを決定するための方法であって、前記方法は、
モバイルデバイスにおいて、少なくとも、第１のロケーションにおける前記モバイルデバイスと第１のＡＰの間の第１の距離関連測定値と、前記第１のロケーションにおける前記モバイルデバイスと第２のＡＰの間の第２の距離関連測定値とを備える、前記第１のロケーションと関連づけられた第１の複数の距離関連測定値を取得することと、
前記モバイルデバイスにおいて、少なくとも、第２のロケーションにおける前記モバイルデバイスと前記第１のＡＰの間の第３の距離関連測定値と、前記第２のロケーションにおける前記モバイルデバイスと前記第２のＡＰの間の第４の距離関連測定値とを備える、前記第２のロケーションと関連づけられた第２の複数の距離関連測定値を取得することと、
前記モバイルデバイスにおいて、前記第１のロケーションから前記第２のロケーションへの前記モバイルデバイスの相対的な動きと関連づけられた前記モバイルデバイスの相対ロケーション情報にアクセスすることと、前記モバイルデバイスの前記相対的な動きは、前記モバイルデバイスの慣性航法システム、ＩＮＳ、によって検知され、
前記モバイルデバイスによって、前記第１の複数の距離関連測定値、前記第２の複数の距離関連測定値および前記相対ロケーション情報に少なくとも部分的に基づいて、前記第１のＡＰと前記第２のＡＰの距離間測定値を決定することによって、前記第２のＡＰと比較した前記第１のＡＰの相対ロケーションを決定することと
を備える、方法。
【請求項２】
前記モバイルデバイスにおいて、サーバまたは全地球航法衛星システム、ＧＮＳＳ、から前記第２のＡＰの絶対ロケーションを取得することと、
前記モバイルデバイスによって、前記第２のＡＰの前記絶対ロケーションと、前記第１のＡＰと前記第２のＡＰの前記距離間測定値とに少なくとも部分的に基づいて、前記第１のＡＰの絶対ロケーションを決定することと、
前記モバイルデバイスによって、前記第１のＡＰの前記絶対ロケーションを前記サーバに送ることと
をさらに備える、請求項１に記載の方法。
【請求項３】
前記第１の複数の距離関連測定値および前記第２の複数の距離関連測定値は、(i)前記モバイルデバイスと各ＡＰとの間のラウンドトリップタイム、ＲＴＴ、測定値、または(ii)受信信号強度インジケーション、ＲＳＳＩ、測定値を備える、請求項１に記載の方法。
【請求項４】
前記モバイルデバイスによって、前記第１のＡＰと前記第２のＡＰの前記距離間測定値を決定する際に、各ＡＰのためのターンアラウンド較正係数、ＴＣＦ、を使用することをさらに備え、ここにおいて、ＡＰのためのＴＣＦは、パケットの受信と応答パケットの再送信の間の前記ＡＰのターンアラウンドタイムを備える、請求項１に記載の方法。
【請求項５】
前記ＡＰの前記ターンアラウンドタイムは、少なくとも、前記モバイルデバイスからの要求に応答するための前記ＡＰの処理時間を備える、請求項４に記載の方法。
【請求項６】
少なくとも前記第１のＡＰのための前記ＴＣＦは、前記モバイルデバイスによって決定され、前記ＴＣＦを決定することは、
前記モバイルデバイスにおいて、前記モバイルデバイスと前記第１のＡＰの間の少なくとも３つの距離関連測定値を取得することと、ここにおいて、前記少なくとも３つの距離関連測定値の各々は、異なるロケーションにおいて取得される、
前記モバイルデバイスにおいて、前記少なくとも３つの距離関連測定値のうちの１つが取得されるたびに、前記モバイルデバイスのＴＣＦ関連ロケーション情報を取得することと、
前記モバイルデバイスによって、前記少なくとも３つの距離関連測定値と、前記少なくとも３つの距離関連測定値が取得されるたびに取得される前記モバイルデバイスの前記ＴＣＦ関連ロケーション情報とに少なくとも部分的に基づいて、前記第１のＡＰの前記ＴＣＦを決定することと
を備える、請求項４に記載の方法。
【請求項７】
前記モバイルデバイスによって、サーバに前記第１のＡＰの前記絶対ロケーションを送ることをさらに備え、ここにおいて、前記サーバは、第２のモバイルデバイスに更新された第１のＡＰロケーションを通信するために、更新された第１のＡＰロケーションを作成するために前に記憶されたＡＰロケーションデータと前記第１のＡＰの前記絶対ロケーションを組み合わせる、請求項２に記載の方法。
【請求項８】
前記モバイルデバイスによって、ＡＰマップを作成するために、受信信号強度インジケーション、ＲＳＳＩ、測定値と前記第１のＡＰの前記絶対ロケーションを組み合わせることをさらに備える、請求項２に記載の方法。
【請求項９】
前記ＩＮＳは、前記モバイルデバイスにより動作される慣性センサまたは／および歩数計のうちの少なくとも１つを備える、請求項１に記載の方法。
【請求項１０】
モバイルデバイスであって、
少なくとも、第１のロケーションにおけるモバイルデバイスと第１のＡＰの間の第１の距離関連測定値と、前記第１のロケーションにおける前記モバイルデバイスと第２のＡＰの間の第２の距離関連測定値とを備える、前記第１のロケーションと関連づけられた第１の複数の距離関連測定値を取得するための手段と、
少なくとも、第２のロケーションにおける前記モバイルデバイスと前記第１のＡＰの間の第３の距離関連測定値と、前記第２のロケーションにおける前記モバイルデバイスと前記第２のＡＰの間の第４の距離関連測定値とを備える、前記第２のロケーションと関連づけられた第２の複数の距離関連測定値を取得するための手段と、
前記第１のロケーションから前記第２のロケーションへの前記モバイルデバイスの相対的な動きと関連づけられた前記モバイルデバイスの相対ロケーション情報にアクセスするための手段と、前記モバイルデバイスの前記相対的な動きは、前記モバイルデバイスの慣性航法システム、ＩＮＳ、によって検知され、
前記第１の複数の距離関連測定値、前記第２の複数の距離関連測定値および前記相対ロケーション情報に少なくとも部分的に基づいて、前記第１のＡＰと前記第２のＡＰの距離間測定値を決定することによって、前記第２のＡＰと比較した前記第１のＡＰの相対ロケーションを決定するための手段と
を備える、モバイルデバイス。
【請求項１１】
サーバまたは全地球航法衛星システム、ＧＮＳＳ、から前記第２のＡＰの絶対ロケーションを取得するための手段と、
前記第２のＡＰの前記絶対ロケーションと、前記第１のＡＰと前記第２のＡＰの前記距離間測定値とに少なくとも部分的に基づいて、前記第１のＡＰの絶対ロケーションを決定するための手段と、
前記第２のＡＰの前記絶対ロケーションを前記サーバに送るための手段と
をさらに備える、請求項１０に記載のモバイルデバイス。
【請求項１２】
前記第１のＡＰと前記第２のＡＰの前記距離間測定値を決定する際に、各ＡＰのためのターンアラウンド較正係数、ＴＣＦ、を使用することをさらに備え、ここにおいて、ＡＰのためのＴＣＦは、パケットの受信と応答パケットの再送信の間の前記ＡＰのターンアラウンドタイムを備える、請求項１０に記載のモバイルデバイス。
【請求項１３】
アクセスポイント、ＡＰ、のロケーションデータを維持するための方法であって、前記方法は、
サーバにおいて、第１のモバイルデバイスから第１のＡＰの絶対ロケーションを受信することと、
前記サーバにおいて、ＡＰマップを作成するために、受信信号強度インジケーション（ＲＳＳＩ）測定値と前記第１のＡＰの前記絶対ロケーションを組み合わせることと、
更新された第１のＡＰロケーションを作成するために前に記憶されたＡＰロケーションデータと前記第１のＡＰの前記絶対ロケーションを組み合わせることと、
前記サーバから、第２のモバイルデバイスに前記更新された第１のＡＰロケーションを通信することと
を備える、方法。
【請求項１４】
非一時的なコンピュータ可読記憶媒体であって、ここにおいて、前記非一時的なコンピュータ可読記憶媒体は、プロセッサによって実行可能な命令を備え、前記命令は、請求項１−９または１３のいずれかに記載の方法を実行するための命令を備える、非一時的なコンピュータ可読記憶媒体。
【請求項１５】
サーバであって、
前記サーバにおいて、第１のモバイルデバイスから第１のＡＰの絶対ロケーションを受信するための手段と、
前記サーバにおいて、ＡＰマップを作成するために、受信信号強度インジケーション、ＲＳＳＩ、測定値と前記第１のＡＰの前記絶対ロケーションを組み合わせるための手段と、
更新された第１のＡＰロケーションを作成するために前に記憶されたＡＰロケーションデータと前記第１のＡＰの前記絶対ロケーションを組み合わせるための手段と、
前記サーバから、第２のモバイルデバイスに前記更新された第１のＡＰロケーションを通信するための手段と
を備える、サーバ。
【手続補正２】
【補正対象書類名】明細書
【補正対象項目名】００９８
【補正方法】変更
【補正の内容】
【００９８】
[00111]  図１１は、本発明の実施形態を実行するためのデバイス１１０４およびサーバ１１０２の構成要素の別の典型的なインプリメンテーションを図示するブロック図である。一実施形態では、サーバ１１０２は、クラウドソーシングサーバである。１つまたは複数のデバイス１１０４は、サーバからの情報を受信および送信するために、サーバに無線で接続されうる。サーバ１１０２および１つまたは複数のデバイス１１０４の両方が、図１３にさらに詳細に説明される１つまたは複数の構成要素を使用してインプリメントされうる。図１１に示されるモジュールは、ソフトウェア、ファームウェアまたはハードウェア、あるいはこれらの何らかの組み合わせでインプリメントされうる。１つのインプリメンテーションでは、このインプリメンテーションは、アプリケーションであることができ、また、ＯＳに依存しないことができる。図１１に説明されるインプリメンテーションは、屋内無線クラウドソーシングシステムによく適しており、この設計の構成要素を共用する屋外無線クラウドソーシングシステムと連動して動作しうる。
【手続補正３】
【補正対象書類名】明細書
【補正対象項目名】０１０８
【補正方法】変更
【補正の内容】
【０１０８】
[00121]  ＲＴＴベースの方法を使用するクラウドソーシングアーキテクチャの複数の態様が説明されたので、本開示の様々な態様がインプリメントされうるコンピューティングシステムの例が、ここで図１３に関して説明されうる。１つまたは複数の態様によると、図１３に例示されるようなコンピュータシステムは、ここで説明された特徴、方法、および／または方法のステップのうちのいずれかおよび／またはすべてをインプリメント、実行（perform）、および／または、実行（execute）しうるコンピューティングデバイスの一部として組み込まれうる。例えば、コンピュータシステム１３００は、デバイスおよび／またはアクセスポイント装置の構成要素のうちのいくつかを表しうる。デバイスは、ＲＦ受信機のような、無線ユニットを備えた任意のコンピューティングデバイスでありうる。モバイルデバイスの例は、それに限定されるものではないが、スマートフォン、ＧＰＳデバイス、タブレット、サーベイ機器、および関連するコンピュータシステムおよびソフトウェアを含む。一実施形態では、システム１３００は、ここで説明された方法のうちの任意のものをインプリメントするように構成される。図１３は、ここで説明されたような、様々な他の実施形態によって提供される方法を実行することができ、および／または、ホストコンピュータシステム、遠隔のキオスク／端末、ＰＯＳ（point-of-sale）デバイス、モバイルデバイス、セットトップボックス、および／またはコンピュータシステムとして機能することができる、コンピュータシステム１３００の一実施形態の概略図を提供する。図１３は、様々な構成要素の一般的な例示を提供することだけを意味されており、それらのうちのいずれかおよび／またはすべてが、適宜利用されうる。したがって、図１３は、どのように個々のシステム要素が、比較的別々の、または、比較的より統合された方法でインプリメントされうるかを広く例示する。
【手続補正４】
【補正対象書類名】明細書
【補正対象項目名】０１１１
【補正方法】変更
【補正の内容】
【０１１１】
[00124]  コンピュータシステム１３００はまた、限定はしないが、モデム、ネットワークカード（無線または有線）、赤外線通信デバイス、（ブルートゥース（登録商標）デバイス、８０２．１１デバイス、ＷｉＦｉデバイス、ＷｉＭａｘデバイス、セルラ通信機能などのような）無線通信デバイスおよび／またはチップセット、および／または、同様のものを含みうる、通信サブシステム１３３０を含みうる。通信サブシステム１３３０は、データが、（一例を挙げると、以下に説明されるネットワークのような）ネットワーク、他のコンピュータシステム、および／または、ここで説明された任意の他のデバイスと交換されることを許可しうる。多くの実施形態では、コンピュータシステム１３００は、上述されたような、ＲＡＭまたはＲＯＭデバイスを含みうる非一時的なワーキングメモリ１３３５をさらに備えうる。コンピュータシステム１３００はまた、外部エンティティとの通信サブシステム１３３０による通信を容易にするためのトランシーバ１３５０を含みうる。
【手続補正５】
【補正対象書類名】明細書
【補正対象項目名】０１２３
【補正方法】変更
【補正の内容】
【０１２３】
[00136]  様々な例が説明された。これらの例および他の例は、以下の特許請求の範囲の範囲内にある。
以下に、本願出願の当初の特許請求の範囲に記載された発明を付記する。
［Ｃ１］
アクセスポイント（ＡＰ）のロケーションを決定するための方法であって、前記方法は、
モバイルデバイスにおいて、少なくとも、第１のロケーションにおける前記モバイルデバイスと第１のＡＰの間の第１の距離関連測定値と、前記第１のロケーションにおける前記モバイルデバイスと第２のＡＰの間の第２の距離関連測定値とを備える、前記第１のロケーションと関連づけられた第１の複数の距離関連測定値を取得することと、
前記モバイルデバイスにおいて、少なくとも、第２のロケーションにおける前記モバイルデバイスと前記第１のＡＰの間の第３の距離関連測定値と、前記第２のロケーションにおける前記モバイルデバイスと前記第２のＡＰの間の第４の距離関連測定値とを備える、前記第２のロケーションと関連づけられた第２の複数の距離関連測定値を取得することと、
前記モバイルデバイスにおいて、前記第１のロケーションから前記第２のロケーションへの前記モバイルデバイスの動きと関連づけられたロケーション情報にアクセスすることと、
前記モバイルデバイスによって、前記第１の複数の距離関連測定値、前記第２の複数の距離関連測定値および前記ロケーション情報に少なくとも部分的に基づいて、前記第１のＡＰと前記第２のＡＰの距離間測定値を決定することによって、前記第２のＡＰと比較した前記第１のＡＰの相対ロケーションを決定することと
を備える、方法。
［Ｃ２］
前記モバイルデバイスにおいて、サーバまたは全地球航法衛星システム（ＧＮＳＳ）から前記第２のＡＰの絶対ロケーションを取得することと、
前記モバイルデバイスによって、前記第２のＡＰの前記絶対ロケーションと、前記第１のＡＰと前記第２のＡＰの前記距離間測定値とに少なくとも部分的に基づいて、前記第１のＡＰの絶対ロケーションを決定することと、
前記モバイルデバイスによって、前記第１のＡＰの前記絶対ロケーションを前記サーバに送ることと
をさらに備える、Ｃ１に記載の方法。
［Ｃ３］
前記第１の複数の距離関連測定値および前記第２の複数の距離関連測定値は、前記モバイルデバイスと各ＡＰとの間のラウンドトリップタイム（ＲＴＴ）測定値を備える、Ｃ１に記載の方法。
［Ｃ４］
前記第１の複数の距離関連測定値および前記第２の複数の距離関連測定値は、受信信号強度インジケーション（ＲＳＳＩ）測定値を備える、Ｃ１に記載の方法。
［Ｃ５］
前記モバイルデバイスによって、前記第１のＡＰと前記第２のＡＰの前記距離間測定値を決定する際に、各ＡＰのためのターンアラウンド較正係数（ＴＣＦ）を使用することをさらに備え、ここにおいて、ＡＰのためのＴＣＦは、パケットの受信と応答パケットの再送信の間の前記ＡＰのターンアラウンドタイムを備える、Ｃ１に記載の方法。
［Ｃ６］
前記ＡＰの前記ターンアラウンドタイムは、少なくとも、前記モバイルデバイスからの要求に応答するための前記ＡＰの処理時間を備える、Ｃ５に記載の方法。
［Ｃ７］
少なくとも前記第１のＡＰのための前記ＴＣＦは、前記モバイルデバイスによって決定され、前記ＴＣＦを決定することは、
前記モバイルデバイスにおいて、前記モバイルデバイスと前記第１のＡＰの間の少なくとも３つの距離関連測定値を取得することと、ここにおいて、前記少なくとも３つの距離関連測定値の各々は、異なるロケーションにおいて取得される、
前記モバイルデバイスにおいて、前記少なくとも３つの距離関連測定値のうちの１つが取得されるたびに、前記モバイルデバイスのＴＣＦ関連ロケーション情報を取得することと、
前記モバイルデバイスによって、前記少なくとも３つの距離関連測定値と、前記少なくとも３つの距離関連測定値が取得されるたびに取得される前記モバイルデバイスの前記ＴＣＦ関連ロケーション情報とに少なくとも部分的に基づいて、前記第１のＡＰの前記ＴＣＦを決定することと
を備える、Ｃ５に記載の方法。
［Ｃ８］
前記モバイルデバイスによって、サーバに前記第１のＡＰの前記絶対ロケーションを送ることをさらに備え、ここにおいて、前記サーバは、第２のモバイルデバイスに更新された第１のＡＰロケーションを通信するために、更新された第１のＡＰロケーションを作成するために前に記憶されたＡＰロケーションデータと前記第１のＡＰの前記絶対ロケーションを組み合わせる、Ｃ２に記載の方法。
［Ｃ９］
前記モバイルデバイスによって、ＡＰマップを作成するために、受信信号強度インジケーション（ＲＳＳＩ）測定値と前記第１のＡＰの前記絶対ロケーションを組み合わせることをさらに備える、Ｃ２に記載の方法。
［Ｃ１０］
前記モバイルデバイスの前記動きと関連づけられた前記ロケーション情報は、少なくとも、前記モバイルデバイスによって、前記モバイルデバイスにより動作される慣性センサまたは／および歩数計に基づいて相対ロケーションを決定することを備える、Ｃ１に記載の方法。
［Ｃ１１］
モバイルデバイスであって、
少なくとも、第１のロケーションにおける前記モバイルデバイスと第１のＡＰの間の第１の距離関連測定値と、前記第１のロケーションにおける前記モバイルデバイスと第２のＡＰの間の第２の距離関連測定値とを備える、前記第１のロケーションと関連づけられた第１の複数の距離関連測定値を取得し、
少なくとも、第２のロケーションにおける前記モバイルデバイスと前記第１のＡＰの間の第３の距離関連測定値と、前記第２のロケーションにおける前記モバイルデバイスと前記第２のＡＰの間の第４の距離関連測定値とを備える、前記第２のロケーションと関連づけられた第２の複数の距離関連測定値を取得する
ように構成されたトランシーバと、
前記第１のロケーションから前記第２のロケーションへの前記モバイルデバイスの動きと関連づけられたロケーション情報にアクセスし、
前記第１の複数の距離関連測定値、前記第２の複数の距離関連測定値および前記ロケーション情報に少なくとも部分的に基づいて、前記第１のＡＰと前記第２のＡＰの距離間測定値を決定することによって、前記第２のＡＰと比較した前記第１のＡＰの相対ロケーションを決定する
ように構成されたプロセッサと
を備えるモバイルデバイス。
［Ｃ１２］
サーバまたは全地球航法衛星システム（ＧＮＳＳ）から前記第２のＡＰの絶対ロケーションを取得し、
前記プロセッサによって、前記第２のＡＰの前記絶対ロケーションと、前記第１のＡＰと前記第２のＡＰの前記距離間測定値とに少なくとも部分的に基づいて、前記第１のＡＰの絶対ロケーションを決定し、
前記第１のＡＰの前記絶対ロケーションを前記サーバに送る
ようにさらに構成される、Ｃ１１に記載のモバイルデバイス。
［Ｃ１３］
前記第１の複数の距離関連測定値および前記第２の複数の距離関連測定値は、前記モバイルデバイスと各ＡＰとの間のラウンドトリップタイム（ＲＴＴ）測定値を備える、Ｃ１１に記載のモバイルデバイス。
［Ｃ１４］
前記第１の複数の距離関連測定値および前記第２の複数の距離関連測定値は、受信信号強度インジケーション（ＲＳＳＩ）測定値を備える、Ｃ１１に記載のモバイルデバイス。
［Ｃ１５］
前記プロセッサによって、前記第１のＡＰと前記第２のＡＰの前記距離間測定値を決定する際に、各ＡＰのためのターンアラウンド較正係数（ＴＣＦ）を使用することをさらに備え、ここにおいて、ＡＰのためのＴＣＦは、パケットの受信と応答パケットの再送信の間の前記ＡＰのターンアラウンドタイムを備える、Ｃ１１に記載のモバイルデバイス。
［Ｃ１６］
前記ＡＰの前記ターンアラウンドタイムは、少なくとも、前記モバイルデバイスからの要求に応答するための前記ＡＰによる処理時間を備える、Ｃ１５に記載のモバイルデバイス。
［Ｃ１７］
少なくとも前記第１のＡＰのための前記ＴＣＦは、前記モバイルデバイスによって決定され、前記モバイルデバイスは、
前記モバイルデバイスと前記第１のＡＰの間の少なくとも３つの距離関連測定値を取得することと、ここにおいて、前記少なくとも３つの距離関連測定値の各々は、異なるロケーションにおいて取得される、
前記少なくとも３つの距離関連測定値のうちの１つが取得されるたびに、前記モバイルデバイスのＴＣＦ関連ロケーション情報を取得することと、
前記少なくとも３つの距離関連測定値と、前記少なくとも３つの距離関連測定値が取得されるたびに取得される前記モバイルデバイスの前記ＴＣＦ関連ロケーション情報とに少なくとも部分的に基づいて、前記第１のＡＰの前記ＴＣＦを決定することと
によって前記ＴＣＦを決定するように構成される、
Ｃ１５に記載のモバイルデバイス。
［Ｃ１８］
更新された第１のＡＰロケーションを作成するために前に記憶されたＡＰロケーションデータと前記第１のＡＰの前記絶対ロケーションを組み合わせるために、および第２のモバイルデバイスに前記更新された第１のＡＰロケーションを通信するために、サーバに前記第１のＡＰの前記絶対ロケーションを送ることをさらに備える、Ｃ１２に記載のモバイルデバイス。
［Ｃ１９］
ＡＰマップを作成するために、受信信号強度インジケーション（ＲＳＳＩ）測定値と前記第１のＡＰの前記絶対ロケーションを組み合わせるようにさらに構成される、Ｃ１２に記載のモバイルデバイス。
［Ｃ２０］
前記モバイルデバイスの前記動きと関連づけられた前記ロケーション情報は、少なくとも、前記モバイルデバイスにより動作される慣性センサまたは／および歩数計に基づいて、相対ロケーションを決定するように構成される、Ｃ１１に記載のモバイルデバイス。
［Ｃ２１］
非一時的なコンピュータ可読記憶媒体であって、ここにおいて、前記非一時的なコンピュータ可読記憶媒体は、プロセッサによって実行可能な命令を備え、前記命令は、
モバイルデバイスにおいて、少なくとも、第１のロケーションにおける前記モバイルデバイスと第１のＡＰの間の第１の距離関連測定値と、前記第１のロケーションにおける前記モバイルデバイスと第２のＡＰの間の第２の距離関連測定値とを備える、前記第１のロケーションと関連づけられた第１の複数の距離関連測定値を取得し、
前記モバイルデバイスにおいて、少なくとも、第２のロケーションにおける前記モバイルデバイスと前記第１のＡＰの間の第３の距離関連測定値と、前記第２のロケーションにおける前記モバイルデバイスと前記第２のＡＰの間の第４の距離関連測定値とを備える、前記第２のロケーションと関連づけられた第２の複数の距離関連測定値を取得し、
前記モバイルデバイスによって、前記第１のロケーションから前記第２のロケーションへの前記モバイルデバイスの動きと関連づけられたロケーション情報にアクセスし、
前記モバイルデバイスによって、前記第１の複数の距離関連測定値、前記第２の複数の距離関連測定値および前記ロケーション情報に少なくとも部分的に基づいて、前記第１のＡＰと前記第２のＡＰの距離間測定値を決定することによって、前記第２のＡＰと比較した前記第１のＡＰの相対ロケーションを決定する
ための命令を備える、非一時的なコンピュータ可読記憶媒体。
［Ｃ２２］
前記モバイルデバイスによって、サーバまたは全地球航法衛星システム（ＧＮＳＳ）から前記第２のＡＰの絶対ロケーションを取得し、
前記モバイルデバイスによって、前記第２のＡＰの前記絶対ロケーションと、前記第１のＡＰと前記第２のＡＰの前記距離間測定値とに少なくとも部分的に基づいて、前記第１のＡＰの絶対ロケーションを決定し、
前記モバイルデバイスから前記サーバへ前記第１のＡＰの前記絶対ロケーションを送る
ようにさらに構成される、Ｃ２１に記載の非一時的なコンピュータ可読記憶媒体。
［Ｃ２３］
前記第１の複数の距離関連測定値および前記第２の複数の距離関連測定値は、前記モバイルデバイスと前記第１のＡＰの間のラウンドトリップタイム（ＲＴＴ）測定値を備える、Ｃ２１に記載の非一時的なコンピュータ可読記憶媒体。
［Ｃ２４］
前記第１のＡＰと前記第２のＡＰの前記距離間測定値を決定する際に、各ＡＰのためのターンアラウンド較正係数（ＴＣＦ）を使用することをさらに備え、ここにおいて、ＡＰのためのＴＣＦは、パケットの受信と応答パケットの再送信の間の前記ＡＰのターンアラウンドタイムを備える、Ｃ２１に記載の非一時的なコンピュータ可読記憶媒体。
［Ｃ２５］
モバイルデバイスであって、
少なくとも、第１のロケーションにおけるモバイルデバイスと第１のＡＰの間の第１の距離関連測定値と、前記第１のロケーションにおける前記モバイルデバイスと第２のＡＰの間の第２の距離関連測定値とを備える、前記第１のロケーションと関連づけられた第１の複数の距離関連測定値を取得するための手段と、
少なくとも、第２のロケーションにおける前記モバイルデバイスと前記第１のＡＰの間の第３の距離関連測定値と、前記第２のロケーションにおける前記モバイルデバイスと前記第２のＡＰの間の第４の距離関連測定値とを備える、前記第２のロケーションと関連づけられた第２の複数の距離関連測定値を取得するための手段と、
前記第１のロケーションから前記第２のロケーションへの前記モバイルデバイスの動きと関連づけられたロケーション情報にアクセスするための手段と、
前記第１の複数の距離関連測定値、前記第２の複数の距離関連測定値および前記ロケーション情報に少なくとも部分的に基づいて、前記第１のＡＰと前記第２のＡＰの距離間測定値を決定することによって、前記第２のＡＰと比較した前記第１のＡＰの相対ロケーションを決定するための手段と
を備えるモバイルデバイス。
［Ｃ２６］
サーバまたは全地球航法衛星システム（ＧＮＳＳ）から前記第２のＡＰの絶対ロケーションを取得するための手段と、
前記第２のＡＰの前記絶対ロケーションと、前記第１のＡＰと前記第２のＡＰの前記距離間測定値とに少なくとも部分的に基づいて、前記第１のＡＰの絶対ロケーションを決定するための手段と、
前記第２のＡＰの前記絶対ロケーションを前記サーバに送るための手段と
をさらに備える、Ｃ２５に記載のモバイルデバイス。
［Ｃ２７］
前記第１の複数の距離関連測定値および前記第２の複数の距離関連測定値は、ラウンドトリップタイム（ＲＴＴ）測定値を備える、Ｃ２５に記載のモバイルデバイス。
［Ｃ２８］
前記第１のＡＰと前記第２のＡＰの前記距離間測定値を決定する際に、各ＡＰのためのターンアラウンド較正係数（ＴＣＦ）を使用することをさらに備え、ここにおいて、ＡＰのためのＴＣＦは、パケットの受信と応答パケットの再送信の間の前記ＡＰのターンアラウンドタイムを備える、Ｃ２５に記載のモバイルデバイス。
［Ｃ２９］
アクセスポイント（ＡＰ）のロケーションデータを維持するための方法であって、前記方法は、
サーバにおいて、第１のモバイルデバイスから第１のＡＰの絶対ロケーションを受信することと、
更新された第１のＡＰロケーションを作成するために前に記憶されたＡＰロケーションデータと前記第１のＡＰの前記絶対ロケーションを組み合わせることと、
前記サーバから、第２のモバイルデバイスに前記更新された第１のＡＰロケーションを通信することと
を備える、方法。
［Ｃ３０］
前記サーバにおいて、ＡＰマップを作成するために、受信信号強度インジケーション（ＲＳＳＩ）測定値と前記第１のＡＰの前記絶対ロケーションを組み合わせることをさらに備える、Ｃ２９に記載の方法。
［Ｃ３１］
サーバであって、
第１のモバイルデバイスから第１のＡＰの絶対ロケーションを受信するように構成されたトランシーバと、
更新された第１のＡＰロケーションを作成するために前に記憶されたＡＰロケーションデータと前記第１のＡＰの前記絶対ロケーションを組み合わせるように構成されたプロセッサと、
第２のデバイスに前記更新された第１のＡＰロケーションを通信するように構成された前記トランシーバと
を備えるサーバ。
［Ｃ３２］
ＡＰマップを作成するために、受信信号強度インジケーション（ＲＳＳＩ）測定値と前記第１のＡＰの前記絶対ロケーションを組み合わせることをさらに備える、Ｃ３１に記載のサーバ。
［Ｃ３３］
非一時的なコンピュータ可読記憶媒体であって、ここにおいて、前記非一時的なコンピュータ可読記憶媒体は、プロセッサによって実行可能な命令を備え、前記命令は、
サーバにおいて、第１のモバイルデバイスから第１のＡＰの絶対ロケーションを受信し、
更新された第１のＡＰロケーションを作成するために前に記憶されたＡＰロケーションデータと前記第１のＡＰの前記絶対ロケーションを組み合わせ、
前記サーバから、第２のモバイルデバイスに前記更新された第１のＡＰロケーションを通信する
ための命令を備える、非一時的なコンピュータ可読記憶媒体。
［Ｃ３４］
前記サーバにおいて、ＡＰマップを作成するために、受信信号強度インジケーション（ＲＳＳＩ）測定値と前記第１のＡＰの前記絶対ロケーションを組み合わせることをさらに備える、Ｃ３３に記載の非一時的なコンピュータ可読記憶媒体。
［Ｃ３５］
サーバであって、
前記サーバにおいて、第１のモバイルデバイスから第１のＡＰの絶対ロケーションを受信するための手段と、
更新された第１のＡＰロケーションを作成するために前に記憶されたＡＰロケーションデータと前記第１のＡＰの前記絶対ロケーションを組み合わせるための手段と、
前記サーバから、第２のモバイルデバイスに前記更新された第１のＡＰロケーションを通信するための手段と
を備えるサーバ。
［Ｃ３６］
前記サーバにおいて、ＡＰマップを作成するために、受信信号強度インジケーション（ＲＳＳＩ）測定値と前記第１のＡＰの前記絶対ロケーションを組み合わせるための手段をさらに備える、Ｃ３５に記載のサーバ。
【手続補正６】
【補正対象書類名】図面
【補正対象項目名】図５
【補正方法】変更
【補正の内容】
【図５】
2015525340.tif 000001